(57)【特許請求の範囲】
【請求項１】
保護ヘルメット（３０）のための内装構造体であって、
支持ケージ（４２）、ヘッドバンド（４４）、およびネックバンド（４６）を含み、これらは全体で、着用者の頭部において前記ヘルメット（３０）を支持し保持するためのヘルメットシェル（３６）に固定可能な内装構造体サブアセンブリ（４０）を形成し、
前記支持ケージ（４２）には、固く、弾性的で柔軟な材料から形成され、それぞれ前記内装構造体サブアセンブリ（４０）の前記ヘルメットシェル（３６）への３点取り付けのため、２つの側頭領域並びに後頭部領域で、前記支持ケージ（４２）から外向きかつ斜め下方向に突出する形状に前記支持ケージと一体的に形成された硬質支持アーム（５４、５５、５６）が設けられており、
外向きかつ斜め下方向に突出する形状に前記支持ケージと一体的に形成された前記硬質支持アームは、前記ヘルメットシェル（３６）内で間隙（６０）が内装構造体サブアセンブリ（４０）の周囲に連続して延在するのを可能にするスペーサとしての役目を果たすために十分な剛性を有し、かつ、前記ヘルメットシェルに上側から外部の圧力が作用した場合、剛性を有する前記硬質支持アームが、前記ヘルメットシェルによる引張荷重を受け、前記ヘルメットシェルを内側に向かって変形させるように作用するべく構成されたことを特徴とする内装構造体。
【請求項２】
前記支持ケージ（４２）が、一体的なプラスチック成型品であることを特徴とする請求項１に記載の内装構造体。
【請求項３】
前記支持ケージ（４２）が、プラスチック材料から形成されることを特徴とする請求項２に記載の内装構造体。
【請求項４】
前記支持ケージ（４２）は、中心部で相互に交差し、それらの外側端において４箇所の連結点（１４６ａ、１４６ｂ、１４６ｃ、１４６ｄ）で、一個構造の外周部で閉じた形状をなす支持帯状部（１４８）と一体化される、２対の相互に離間された支持帯状部（１４２、１４４）から形成されることを特徴とする請求項１乃至３のいずれかに記載の内装構造体。
【請求項５】
前記硬質支持アーム（５４、５５、５６）が、前記連結点（１４６ａ、１４６ｂ、１４６ｃ、１４６ｄ）で前記支持ケージ（４２）から突出することを特徴とする請求項４に記載の内装構造体。
【請求項６】
前記硬質支持アーム（５４、５５、５６）が、前記外周部で閉じた形状をなす支持帯状部（１４８）と一体的に形成されることを特徴とする請求項４または５に記載の内装構造体。
【請求項７】
前記ヘッドバンド（４４）は、前記支持ケージ（４２）と一体的に形成されることを特徴とする請求項１に記載の内装構造体。
【請求項８】
前記ネックバンド（４６）が、
前記ヘッドバンド（４４）の遊端に着脱自在に結合された２つの端部と、
ネック領域において相互に着脱自在に結合可能な２つの遊端とを有することを特徴とする請求項７に記載の内装構造体。
【請求項９】
前記ネックバンド（４６）が、前記支持ケージ（４２）と同じ材料から形成されることを特徴とする請求項１乃至８のいずれかに記載の内装構造体。
【請求項１０】
前記ネックバンド（４６）が、高さを調節可能となるように、前記ヘッドバンド（４４）への結合部とその遊端との間で前記支持ケージ（４２）にそれぞれ結合されることを特徴とする請求項８に記載の内装構造体。
【請求項１１】
前記支持ケージ（４２）は、下方向に突出する２つの支持アーム（４７ａ、４７ｂ）を含み、前記ネックバンド（４６）は前記支持アーム（４７ａ、４７ｂ）上で選択可能な高さで固定可能であることを特徴とする請求項１０に記載の内装構造体。
【請求項１２】
前記支持アーム（４７ａ、４７ｂ）は、前記支持ケージ（４２）上に一体的に形成されることを特徴とする請求項１１に記載の内装構造体。
【請求項１３】
前記ヘッドバンド（４４）が、前記支持ケージ（４２）と一体的に設けられ、前記支持ケージ（４２）の外周部で閉じた形状をなす支持帯状部（１４８）に対して、その下側の位置に、前記外周部で閉じた形状をなす支持帯状部（１４８）までの一定の距離で、連結帯状部（１５０）を介して一体的に形成されることを特徴とする請求項１２に記載の内装構造体。
【請求項１４】
前記硬質支持アーム（５４、５５、５６）および前記支持アーム（４７ａ、４７ｂ）は、一体的に形成されたリブ（１５２、１５４）によってさらに補強されることを特徴とする請求項１１乃至１３のいずれかに記載の内装構造体。
【請求項１５】
両側頭領域において突出する前記硬質支持アーム（５４、５５）が、前記ヘルメットシェル（３６）の内側上に固定するための手段を含むことを特徴とする請求項１乃至１４のいずれかに記載の内装構造体。
【請求項１６】
前記固定するための手段が、前記ヘルメットシェル（３０）と確実に係合可能に形成されることを特徴とする請求項１５に記載の内装構造体。
【請求項１７】
後頭部領域において前記支持ケージ（４２）から外向きかつ斜め下方向に突出する前記硬質支持アーム（５６）が、前記ヘルメットシェル（３６）に固定するためのロック装置を含むことを特徴とする請求項１乃至１６のいずれかに記載の内装構造体。
【請求項１８】
顎ストラップ取り付け具（８８ａ、８８ｂ）が前記支持ケージ（４２）上に形成されることを特徴とする請求項１乃至１７のいずれかに記載の内装構造体。
【発明の詳細な説明】
【技術分野】
【０００１】
本発明は、保護ヘルメット、特に森林作業者用の保護ヘルメットに関する。本発明の保護ヘルメットは、支持ケージ、ヘッドバンドおよびネックバンドを有し、これらの要素が全体で、着用者の頭にヘルメットを支持し固定するためのヘルメットシェルに固定できる内装構造体サブアセンブリを形成するものである。
【背景技術】
【０００２】
特許文献１（ＤＥ８７１４４９０Ｕ１）に開示のように、この種の内装構造体を有する保護ヘルメットは公知である。この保護ヘルメットは、ヘルメットシェルと最小限の内装構造体から構成されている。この内装構造体は、ヘルメットを頭に装着せしめ、頭とヘルメットシェルとの間の衝撃吸収距離を確保する、布地製の交差ストラップを備える。当該ヘルメットは、その外周部に、ヘルメットの側部および後部を外囲する突出部と、下側エッジ部に前記交差ストラップを取り付けるための４つの凹部とを有する。
【０００３】
特許文献２（ＤＥ１０  ２００４  ００４０４４Ｂ４）に開示されているように、保護すべき頭にマウントするための内装構造体として働くキャリア部を備える保護ヘルメットが知られている。シールド部は、キャリア部によって保持される。頭部シェルは、キャリア部またはシールド部上に着脱自在に取り付けられる。頭部シェルは、頭皮を実際に保護する役目を果たす。頭部シェルは、キャリア部またはシールド部から取り外し可能であるので、物体の落下などの頭部への危険が概ね排除され得る用途では、取り外しておくことができる。使用者にとって、このことは、取り付けられたシールド部を含むキャリア部のみを着用しておけばよく、軽量化のみによって着用時の快適さが改善されることを意味する。さらに、頭部の涼しさも改善される。使用者が、特定の用途（例えば土壌圧縮作業）において頭部の保護以外の保護も必要とする場合には、キャリア部またはシールド部に追加の安全具を取り付けられる点も利点の１つに数えられる。キャリア部は、頭部の形態に適合するように柔軟な材料（皮革、弾性プラスチック材料等）か形成される。さらに、キャリア部を、公知の方式で異なる頭部の径を有する使用者に適合させることが可能である。頭部シェルは、それがシールド部またはキャリア部に取り付けられているときシールドにカバーされない頭部の上側をカバーできるように、カップ形状となるように設計される。頭部シェルは、キャリア部に直接取り付けられて、物体の衝撃があった場合に、保護ヘルメットに作用する力が頭部シェルからキャリア部を介して使用者に直接伝わり得るように、キャリア部に直接取り付けられるのが好ましい。
【０００４】
特許文献３（ＤＥ６９８１１７３８Ｔ２）に開示のように、支持ケージ、ヘッドバンド、およびネックバンドを備え、頭部に接触するサブアセンブリを備える内装構造体が、二重壁ヘルメットシェルの下側エッジ部における４箇所の位置に形成されたスロット内に挿入される固定用突起部の助けによって取り付けられる保護ヘルメットが公知である。このヘッドバンドは、着用者の頭部のサイズおよび形状に容易に適合できる柔軟な材料から形成される。
【０００５】
特許文献４（国際特許公開第２００５／０２７６７１号）に開示のように、衝撃吸収部がその他の部分の内装構造体を外囲して、ヘルメットシェル内に配置されている安全ヘルメットが公知である。ヘルメットシェルの内部には、衝撃吸収部および内装構造体がねじによって取り付け可能な突出部が存在する。この公知の安全ヘルメットでは、衝撃吸収部を、ヘルメットの内部に対向する外側に凹部を設けて、その内部に外部に引き出される接続線を有する送受信器を収容できるように、十分な厚さを有するべく設計する。
【０００６】
上述の全ての知られた保護ヘルメットは、ヘルメットに作用する外力が、ヘルメットの着用者の頭部に対して完全に、内部構造体（特に交差ストラップで形成された支持ケージ）を介して伝達される点で共通している。即ち、交差ストラップは、着用者の頭部上にヘルメットをしっかりと保持する追加の機能を有しているので、その衝撃吸収機能は一定の程度までしか満たすことができない。したがって、衝撃吸収能力を向上させる保護ヘルメットのための内装構造体の必要性が存在する。
【先行技術文献】
【特許文献】
【０００７】
【特許文献１】ＤＥ８７１４４９０Ｕ１（ドイツ国実用新案公報）
【特許文献２】ＤＥ１０  ２００４  ００４０４４Ｂ４（ドイツ国特許公報）
【特許文献３】ＤＥ６９８１１７３８Ｔ２（ドイツ国の欧州特許翻訳公開）
【特許文献４】国際特許公開第２００５／０２７６７１号
【発明の概要】
【発明が解決しようとする課題】
【０００８】
本発明の目的は、初めに述べた文献（特許文献１）に記載されたタイプの内装構造体であって、ヘルメットの種類を問わず（即ち、森林作業用に設計されたヘルメットに限らず）、その内装構造体を取り付けた保護ヘルメットが向上した衝撃吸収能力を示すような設計の内装構造体を提供することにある。
【課題を解決するための手段】
【０００９】
本発明によれば、内装構造体において、支持ケージが、固く、弾性的で柔軟な材料から形成され、それぞれ硬質支持アームを備えており、前記硬質支持アームは、前記内装構造体サブアセンブリの前記ヘルメットシェルへの３点取り付けのため、および前記ヘルメットシェル内で間隙が内装構造体サブアセンブリの周囲に連続して延在するのを可能にするため、２つの側頭領域並びに後頭部領域で前記支持ケージから外向きかつ斜め下方向に突出している構成とすることによって、上記の課題を解決する。
【００１０】
本発明による内装構造体では、固く、弾性的で柔軟な材料から形成された支持ケージにおいて支持機能と衝撃吸収機能とが組み合わせられている。衝撃吸収機能を満たすために、前記支持ケージは、２つの側頭領域並びに後頭部領域でそこから外向きかつ斜め下方向に突出している前記アームの遊端が前記ヘルメットシェルを前記支持ケージの上に支持しているので、前記ヘルメットシェルによって支持されており、前記ヘルメットシェルに上側から外部の圧力が作用した場合、前記支持アームは前記ヘルメットシェルによる引張荷重を受け、前記ヘルメットシェルを内側に向かって変形させようとする。本発明による内装構造体を備えた保護ヘルメットは、全体として、着用者の頭部に伝達される力がより少なくなる、より良好な衝撃吸収能力を有する。
【００１１】
本発明による内装構造体の有利な実施形態は、特許請求の範囲の各請求項にも記載された発明主題を構成する。
【００１２】
本発明による内装構造体の一実施形態では、前記支持ケージが、一体的なプラスチック成型品である。このようにして、前記支持ケージの衝撃吸収効果は、従来技術の布地製の交差ストラップから構成された支持ケージの場合より、より容易に制御可能となる。
【００１３】
本発明による内装構造体の別の実施形態では、前記支持ケージが、ポリアミドのようなプラスチック材料から形成される。このようにして、必要な固さを確保しつつ、衝撃吸収のための十分な弾力性が得られる。
【００１４】
本発明による内装構造体の別の実施形態では、前記支持ケージが、中心部で相互に交差し、それらの外側端において４箇所の連結点で、一個構造の外周部で閉じた形状をなす支持帯状部と一体化される、２対の相互に離間された支持帯状部から形成される。このようにして、前記支持ケージが、頭部の通気のための十分に大きいオリフィスを保持するが、頭部上の十分に広い領域で支持されることになり、頭部に対するヘルメットの快適であるがしっかりとしたフィット状態を提供し、かつ前記支持アームに対する十分に安定な支持体を形成することができる。
【００１５】
本発明による内装構造体の別の実施形態では、前記支持アームが、前記連結点で前記支持ケージから突出する。このようにして、前記支持ケージが、その最も固い位置において前記支持アームに対する支持体を形成することになる。
【００１６】
本発明による内装構造体の別の実施形態では、前記支持アームが、前記外周部で閉じた形状をなす支持帯状部と一体的に形成される。このようにして、前記支持ケージの外周全体にわたって前記支持アームによる前記支持ケージへの力の伝達が確実となり、これによりピーク応力が回避される。
【００１７】
本発明による内装構造体の別の実施形態では、前記ヘッドバンドが、前記支持ケージと一体的に形成される。このようにして、前記ヘッドバンドが、前記支持ケージの補強に寄与することとなる。
【００１８】
本発明による内装構造体の別の実施形態では、前記ネックバンドが、前記ヘッドバンドの遊端に着脱自在に結合された２つの端部と、ネック領域において相互に着脱自在に結合可能な２つの遊端とを有する。このようにして、前記ネックバンドが内装構造体の一体化された部分を形成するが、簡単に緊締ユニットの形の別ヘルメットアクセサリを装備することが可能となる。この目的のために必要となるのは、前記ネックバンドの２つの遊端が、緊締ユニットに結合されていることのみである。
【００１９】
本発明による内装構造体の別の実施形態では、前記ネックバンドが、前記支持ケージと同じ材料から形成される。このようにして、前記内装構造体の製造とその衝撃吸収能力の調節が容易になる。
【００２０】
本発明による内装構造体の別の実施形態では、前記ネックバンドが、高さを調節可能となるように、前記ヘッドバンドへの結合部とその遊端との間で前記支持ケージ（４２）にそれぞれ結合される。このようにして、本発明による内装構造体を備えた保護ヘルメットのフィット状態を、簡単な方式で改善することが可能となる。
【００２１】
本発明による内装構造体の別の実施形態では、前記支持ケージは、下方向に突出する２つの支持アームを含み、前記ネックバンドは前記支持アーム上で選択可能な高さで固定可能である。前記ネックバンドの選択可能な固定が、支持ケージの一部である支持アーム上に実現されるので、前記内装構造体が、前記ネックバンドが前記支持アームに固定される高さとは無関係に自己収容サブアセンブリの状態が維持されることになる。
【００２２】
本発明による内装構造体の別の実施形態では、前記支持アームは、前記支持ケージ上に一体的に形成される。このようにして、前記内装構造体の全体としての安定性が改善され、その結果その衝撃吸収能力の決定が容易になる。
【００２３】
本発明による内装構造体の別の実施形態では、前記ヘッドバンドが、前記外周部で閉じた形状をなす支持帯状部の上に、前記外周部で閉じた形状をなす支持帯状部までの一定の距離で、連結帯状部を介して一体的に形成される。このようにして、前記ヘッドバンドが、前記支持ケージの設計とは無関係に、額上に前記内部構造体を支持するその機能を発揮することが可能なる。
【００２４】
本発明による内装構造体の別の実施形態では、前記支持アームおよび別の前記支持アームは、一体的に形成されたリブによってさらに補強される。このようにして、これらの支持アームを介した力の伝達が改善される。
【００２５】
本発明による内装構造体の別の実施形態では、両側頭領域において下方向に突出する前記支持アームが、前記ヘルメットシェルの内側上に固定するための手段を含む。このようにして、本発明による内装構造体を、あらゆるヘルメットに取り付け可能となる。唯一の必要となる前提条件は、そのヘルメットシェルが内部に補完的な固定手段を備えているか、または下方向に突出する支持アームの固定手段が係合し得るスロットを備えており、前記支持アームが前記ヘルメットシェルによる引張荷重を受けることが可能となるようになっていることである。
【００２６】
本発明による内装構造体の別の実施形態では、前記固定するための手段が、前記ヘルメットシェルと確実に係合可能に形成される。あらゆるタイプの保護ヘルメットのヘルメットシェルにおいて、製造工程の早い段階でこの目的のためのスロットを設けることは問題にはならない。
【００２７】
本発明による内装構造体の別の実施形態では、後頭部領域において後方向に突出する前記支持アームが、前記ヘルメットシェル上に固定するためのロック装置を含む。最も簡単な場合には、ヘルメットシェルが関連するスロットを有し、そのスロットにおいて後方向に突出する前記支持アームがロック装置によってロック可能とされ、その取り付け位置を介した力の伝達が可能となるように構成されていれば十分である。
【００２８】
本発明による内装構造体の別の実施形態では、顎ストラップ取り付け具が前記支持ケージ（４２）上に形成される。本発明による内装構造体は、それが持つ固さとその設計とのために、顎ストラップを前記支持ケージに直接固定することが可能となっている。
【００２９】
本発明の実施形態については、以下の図面を参照しながらより詳細に説明する。
【図面の簡単な説明】
【００３０】
【図１】本発明による保護ヘルメットのための内装構造体サブアセンブリの下側斜め方向からみた斜視図。
【図２】図１の内装構造体サブアセンブリの上側斜め方向からみた斜視図。
【図３】図１の内装構造体サブアセンブリの長手方向の断面図であって、保護ヘルメットのヘルメットシェルが挿入されたところが長手方向の断面に示された図。
【図４】内装構造体サブアセンブリなしで示した図３のヘルメットシェルの底面図。
【図５】図４のヘルメットシェルの下側斜め方向からみた斜視図。
【図６】横断面図として示された耳保護部を備えた保護ヘルメットのヘルメットシェルへの図１〜図３の内装構造体の取り付けを示す図。
【図７】ネックバンドの両端がネック領域において緊締ユニットによって着脱可能に結合されている、本発明による内装構造体サブアセンブリを示す図。
【図８】ヘルメットシェルに取り付けられた、本発明による内装構造体サブアセンブリの後部方向にみた横断面図。
【図９】図８のヘルメットシェルを備えた内装構造体の前方向にみた一部切欠き図。
【発明を実施するための形態】
【００３１】
図１〜図３および図７に示す実施形態によれば、その全体を符号４０で示す内装構造体サブアセンブリは、支持ケージ４２、ヘッドバンド４４とネックバンド４６を含む。ネックバンド４６は、図７によれば、全体として符号４８で示す緊締ユニットを備え得る。図３〜図５は、内装構造体サブアセンブリ４０を装着可能な状態にあるヘルメットシェル３６を示す。
【００３２】
スペーサとして形成された支持アーム５４、（支持アーム５５は図７中ではみえない）は、内装構造体または内装構造体サブアセンブリ４０をヘルメットシェル３６に３点で取り付けるための手段としての働きをする。ヘルメットシェル３６の寸法を考慮して、支持アーム５４、５５および５６は、図６に示す耳保護部カプセル３５ａ、３５ｂを収容し、かつ耳保護部３４のブラケット３７ａ、３７ｂを支持し、図７に示すネックバンド４６の緊締ユニット４８などの他のヘルメットアクセサリを支持するための間隙６０が内装構造体サブアセンブリ４０とヘルメットシェル３６の間に存在するような寸法に形成され、配置される。
【００３３】
以下において、ヘルメットシェル３６、発明による内装構造体サブアセンブリ４０、それらとヘルメットシェル３６との接続、および緊締ユニット４８についてこの順番で詳細に説明する。
【００３４】
ヘルメット３０のヘルメットシェル３６について、以下に、図面、特に図３〜図６並びに図８および図９を参照して詳細に説明する。なおヘルメットシェル３６は、発明の一部でない。これは、本発明による内装構造体が一例として選択された任意のヘルメットにおいてどの位置に、どのように配置され得るかの一例を示すものにすぎない。
【００３５】
ヘルメットシェル３６は、一体的なプラスチック成形品して形成される。ヘルメットシェル３６のための適切なプラスチック材料としては例えばＡＢＳが挙げられる。図３において、内装構造体サブアセンブリ４０を備えたヘルメットシェル３６が、長手方向の断面図で示されている。図４は、内装構造体サブアセンブリなしで示した図３のヘルメットシェルを下からみたところを示す。図５は、図４のヘルメットシェルの下側斜め方向からみた斜視図を示す。ヘルメットシェル３６の内面の上で、斜め方向に延在している補強リブ６２は、ヘルメットの前部および中心部において一体的に形成される。補強リブ６２を横断するように、保護ヘルメット３０の中心部において長手方向に延在する補強リブ６４が形成される。補強リブ６２と６４は、図３および図４において最も見やすく表示されている。中心領域において、補強リブ６２、６４は、通気オリフィス５２の６つの群を含む内部に向かってわずかにくぼんだ領域に従って延びている。そのくぼんだ領域においては、下方向かつ内向きに突出している保持用留め部６８で２つの前方ガイドスロット６６に係合し、かつ２つの保持用留め部７０で２つの後方ガイドスロット７２に係合している通気スライド部５０が、ヘルメットシェル３６の外面に摺動可能に配置されている。通気スライド部５０は、通気位置において通気オリフィス５２の上に位置し、閉鎖位置においては通気オリフィス５２が通気スライド部５０によって閉鎖されるように位置をずらされる。ヘルメット３０の下側エッジは、側頭の領域および頭部の後側の領域において横方向下向きに引き出されており、これは図５において最も見やすく表示されている。内装構造体サブアセンブリ４０とヘルメットシェル３６との間の上述の間隙６０は、このようにこれらの領域においては底部に向かって拡げられている。これによって、ヘルメットシェル３６の内側への取り付け装置の装着および耳保護部カプセル３５ａ、３５ｂの間隙６０への収容が容易になる。
【００３６】
上述の側頭領域では、支持アーム５４または５５を備える内装構造体サブアセンブリ４０を確実かつ着脱自在に取り付け可能な３つの棒状突出部７４ａまたは７４ｂが、ヘルメットシェル３６の内側に一体的に形成されているか、そうでなければシェル内側にその一方の側で取り付けられている。棒状突出部７４ａ、７４ｂは、図５の側面図、図４の平面図（右側）、および図８の断面図にみられる。棒状突出部７４ａ、７４ｂは、それぞれ断面形状が四角ドーム形即ち中空形状の部品であり、そのベース部はヘルメットシェル３６の内側に一体的に形成されている。ベース部の反対側の領域において、棒状突出部７４ａ、７４ｂは、ヘルメットシェル３６の内面の前に自由に直立するように配置される。棒状突出部７４ａ、７４ｂのヘルメットシェル３６の内側への連結、およびそれぞれ三角のナックルの形態をなす連結点に隣接した領域におけるヘルメットシェルへのそれらの結合部は、棒状突出部７４ａ、７４ｂとヘルメットシェル３６との間に一体的に形成された追加のリブによって補強され、これにより棒状突出部７４ａ、７４ｂがヘルメットシェル３６に実質的に堅く結合される。棒状突出部の長手方向を横断する向きに、曲げようとする力が棒状突出部７４ａ、７４ｂに加わった場合は、それに応じて棒状突出部７４ａ、７４ｂはヘルメットシェル３６を変形させようとする。この設計の目的は、以下のヘルメットシェル３６上への内装構造体サブアセンブリ４０の装着の説明に関連して、より詳細に説明する。
【００３７】
後端において、ヘルメットシェル３６は中心の下側エッジに凹部７６を備えており、その後側にはネックバンド４６の緊締ユニット４８が配置され、それによって、ヘルメット３０が完全に組立てられたときネックバンドを緊締または緊締解除するための手による操作のためのアクセスが可能となる。
【００３８】
ヘルメットシェル３６上へに支持アーム５６をロックするため、前記シェルは頭の後側の領域にスロット７８を備え、そのスロットに対して、対応して形成された支持アーム５６の遊端（図２参照）が、図７および図８にみられるように着脱自在に係合する。支持アーム５６が係合されたとき、支持アーム５６上に形成された突出部５６ａ、５６ｂは、ヘルメットシェル３６の外側に位置し、その外側めに当接しており、それによってヘルメット３６に上側から力が作用したとき引張荷重が支持アーム５６に加わる。
【００３９】
保護ヘルメット３０のための内装構造体について、図面、特に図１〜図３および図７を参照して以下、詳細に説明する。内装構造体サブアセンブリ４０は、通常は、支持ケージ４２、ヘッドバンド４４、および緊締ユニット４８を備えたネックバンド４６から構成され、頭に接触する、保護ヘルメットの一部である。サブアセンブリ４０は、着用者の頭の上にヘルメット３０を支持し保持するべく、図４および図５に示すようにヘルメットシェル３６に取り付け可能である。
【００４０】
図１は、保護ヘルメット３０の内装構造体サブアセンブリ４０の下側斜め方向からみた斜視図である。図２は、図１の内装構造体サブアセンブリの上側斜め方向からみた斜視図である。図３は、図１の内装構造体サブアセンブリ４０の長手方向断面図であって、保護ヘルメット３０のヘルメットシェル３６が挿入されたところが長手方向の断面に示されている。図７は、ネックバンド４６の両端がネック領域において緊締ユニット４４８によって着脱可能に結合されている、保護ヘルメット３０の内装構造体サブアセンブリを示す。
【００４１】
支持ケージ４２は、固く、弾性的で柔軟な材料、好ましくはポリアミドのようなプラスチック材料質で形成される。支持ケージ４２は、硬質支持アーム５４、５５または５６をそれぞれ備えており、これらのアームは、内装構造体のヘルメットシェル３６への３点取り付けのため、および耳保護部３２の耳保護部カプセル３５ａ、３５ｂおよび他のヘルメットアクセサリを収容するべくヘルメットシェル３６内で間隙６０が内装構造体の周囲に連続して延在するのを可能にするため、２つの側頭領域並びに後頭部領域で支持ケージ４２から外向きかつ斜め下方向に突出している。ここに記載する実施形態では、支持ケージ４２は一体のプラスチック成型品として作り出される。支持ケージ４２は、２対の相互に離間された支持帯状部１４２、１４４から形成され、これらの支持帯状部は、図２に示す実施形態によれば、中心部で相互に交差し、それらの下側端において４箇所の連結点１４６ａ、１４６ｂ、１４６ｃ、１４６ｄで、一個構造の外周部で閉じた形状をなす支持帯状部１４８と一体化される。図１において、支持帯状部１４２、１４４は十字形の当て物材料の部材１４９によってカバーされている。
【００４２】
支持アーム５４、５５、５６は、連結点１４６ａ、１４６ｂ、１４６ｃで支持ケージ４２から突出する。支持帯状部１４２と１４４が湾曲して延在する、好ましくは連結点１４６ａ、１４６ｂまたは１４６ｃ間で実質的に円弧を描くように延在すると仮定すると、支持アーム５４、５５または５６は、図８または図２にみられるように、それぞれ支持ケージ１４２から下方または後方にそれぞれ実質的に関連する円弧の接線方向に突出する。ここに記載する実施形態では、支持アーム５４、５５、５６は、外周部で閉じた形状をなす支持帯状部１４８の上に一体的に形成される。ヘッドバンド４４は、図２に示すように支持ケージ４２上に一体的に形成される。ネックバンド４６は、図面には詳細に示されていないが、例えばスナップ留め結合によってヘッドバンド４４の後部の遊端に着脱自在に連結される２つの前側端を有する。図１〜図３に示す実施形態では、ネックバンド４６は、ネック領域で着脱自在に、すなわち図７に示すように緊締ユニット４８を用いて相互に結合可能な２つの遊端を有する。ネックバンド４６は、支持ケージ４２と同じ材料から形成されていてもよい。ネックバンド４６は、例えば図１および図２に示すように、高さ調節可能となるべくそのヘッドバンド４４への連結部とその自由端との間で支持ケージ４２にそれぞれ連結されている。この目的のために、支持ケージ４２は、下方向に突出する２つの支持アーム４７ａ、４７ｂを含み、その上でネックバンド４６をそれぞれ選択された高さで固定可能とする。ネックバンド４６は、両側に上下方向に並んで配置された３つの開口５１を有し、これらの開口は、図１および図２に示すように、各支持アーム４７ａ、４７ｂから突出している弾力性のあるボルトと係合し得る。
【００４３】
ヘッドバンド４４は、外周部で閉じた形状をなす支持帯状部１４８に対して、その下側の位置に、外周部で閉じた形状をなす支持帯状部１４８までの一定の距離で、連結帯状部１５０を介して一体的に形成される。支持アーム５４、５５、５６および支持アーム４７ａ、４７ｂは、一体的に形成されたリブ１５２または１５４によってさらに補強される。
【００４４】
２つの側頭領域で下方向に突出している支持アーム５４、５５は、ヘルメットシェル３６の内側へ固定するための手段を含む。固定手段としては、支持アーム５４、５５のそれぞれに設けられた３つの通孔１５６または１５８を含み、これらの通孔はヘルメットシェル３６上の棒状突出部７４ａまたは７４ｂに確実に係合され得る。後頭部領域において後側に突出する支持ケージ４２の支持アーム５６は突出部５６ａ、５６ｂを含み、これらの突出部は既に上述したように、ヘルメットシェル３６上に内装構造体サブアセンブリ４０を着脱自在に固定するためのロック装置を形成する。
【００４５】
図２によると、顎ストラップ（図示せず）を取り付けるための装置８８ａ、８８ｂが支持ケージ４２上に形成されている。顎ストラップ固定具８８ａ、８８ｂは、２つの側頭領域において下方向に突出する支持アーム５４、５５に隣接して支持ケージ４２の外周部で閉じた形状をなす支持帯状部１４８上に一体的に形成された、または図に示すように外周部で閉じた形状をなす支持帯状部１４８に取り付け可能な中間部材８９ａ、８９ｂの上に設けられた、２つの枢動ピン９０ａ、９０ｂを含む。
【００４６】
産業の現場作業者や森林作業者のヘルメットでは、顎ストラップは、ヘルメットシェルに取り付けられる（図示せず）か、支持ケージ４２に取り付けられる。登山用のヘルメットでは、顎ストラップは、ヘルメットシェルにしか取り付けられない。
【００４７】
部分的には既に説明したヘルメットシェル３６と内装構造体サブアセンブリ４０の相互連結について、図２、図３、および図７を参照して概要および補足的な説明を行う。図２は、保護ヘルメット３０の内装構造体サブアセンブリ４０の上側斜め方向からみた斜視図を示す。図３は、保護ヘルメット３０のヘルメットシェル３６が挿入された内装構造体サブアセンブリ４０の長手方向の断面図であって、ネックバンド４６上の緊締ユニット４８は図示されていない。
【００４８】
図８は、図３の線ＶＩＩＩ−ＶＩＩＩに沿って切断した保護ヘルメット３０の断面図であり、緊締ユニット４８も表示されている。図２では、スペーサとして形成された支持アーム５５および５６がみられる。下方向に突出している第２の支持アーム５５は図２ではみることができない。支持アーム５５は、図３の内側の表示にみることができる。図８では、支持アーム５４および５５が断面図に示されている。内装構造体サブアセンブリ４０をヘルメットシェル３６に３点で取り付けるために、後方向に突出する支持アーム５６が、突出部５６ａ、５６ｂがヘルメットシェルの外側にロックされるまで、ヘルメットシェルのスロット７８に挿入される。次に内装構造体サブアセンブリ４０は、ヘルメットシェル３６の内側面の方向にさらに内向きに動かされ、支持アーム５４および５５が棒状突出部７４ａまたは７４ｂ上を摺動されることになる。このプロセスで、支持アーム５４および５５の通孔１５６および１５８は、棒状突出部７４ａまたは７４ｂを、図８にみられるように確実に収容する。支持アーム５４、５５が、ヘルメットシェル３６と棒状突出部７４ａ、７４ｂの間のナックルにおいてヘルメットの内部に当接した場合、コネクタ１３６ａおよび１３６ｂ（図４および図５）は、棒状突出部７４ａ、７４ｂの上に嵌め込まれ、これにより支持アーム５４および５５をそれらのあるべき位置に固定する。こうして、内装構造体サブアセンブリ４０およびヘルメットシェル３６は、３点で相互に連結される。保護ヘルメット３０が頭部に装着され、緊締ユニット４８の補助により頭部に固定されるとすぐに、必要ならば、顎ストラップ（図示せず）が追加で顎の下に固定され得る。支持アーム５４、５５の通孔１５６、１５８が、それぞれ、通孔１５６、１５８の内部幅と少なくとも等しい長さのところで棒状突出部７４ａまたは７４ｂを受容する。ヘルメット３０に上方から荷重が加わった場合、支持アーム５４、５５、５６に力が加わり、支持アームの端部で支持されたヘルメットシェル３６によって、引張荷重が支持アームに加わる。ヘルメットシェル３６を、下側端上の３点のそれぞれにおいて内向きに変形させようとする運動量は、支持アーム５４、５５、５６に作用するこの力によって生成される。このようにして、ヘルメットシェル３６は、その上に作用する変形エネルギーの一部を転換し、ヘルメットを着用する人間に対する力の影響を低減させる。支持アーム５４、５５、５６からヘルメットシェル３６への運動量の伝達は、支持アームが一体的に形成されたリブ１５２によってさらに補強されていることによって、さらに強化される。
【００４９】
上述の実施形態では、支持アーム５４、５５は、支持アーム５６とは異なる方式でヘルメットシェル３６に取り付けられているが、これは必ずしも必要ではない。支持アーム５４、５５が、支持アーム５６と同じ方式でヘルメットシェルに取り付けられてもよい。必要なのは、支持アーム５４、５５が支持アーム５６と同じ固定手段を備え、支持アーム５４、５５のヘルメットへの着実な係合を確保できるようになっていることだけである。この場合、支持アーム５４、５５の固定手段は、例えばヘルメットシェル３６のスロット内に挿入されて、支持アーム５４、５５並びに支持アーム５６をスナップ留め結合によってヘルメットシェル上に固定するスナップ留め手段でもよい。
【００５０】
以下、図６を参照して、その取り付け装置８０を備えた耳保護部３４について簡単に説明する。図６は、保護ヘルメット３０を示す図であり、耳保護部３４が耳の上に回動されているところが示されている。耳保護部３４は、それぞれフォーク状の支持ブラケット３７ａ、３７ｂにそれぞれ回動自在に支持されている２つの耳保護部カプセル３５ａ、３５ｂを備える。ヘルメットシェル３６は、図４に示すように、その内側に固定された耳保護部支持点８０ａ、８０ｂを備えている。耳保護部カプセル３５ａ、３５ｂを備えた支持ブラケット３７ａ、３７ｂは、支持点８０ａ、８０ｂに回動可能に支持されている。耳保護部支持点８０ａ、８０ｂおよび支持ブラケット３７ａ、３７ｂは、間隙６０において２つの位置、すなわち図６に示す耳保護部カプセル３５ａ、３５ｂが耳を覆う動作位置と、耳保護部カプセル３５ａ、３５ｂが耳の後ろのヘルメットシェル３６の間隙６０内に収容される休止位置（図示せず）との間で回動可能である。
【００５１】
顔面保護部（図示せず）は、２つの保持アームを備えるバイザーを含み、２つの保持アームの収容のために、図５または図４に示す２つのコネクタ１３６ａ、１３６ｂが設けられている。顔面保護部支持点８４ａまたは８４ｂは、それぞれ、顔面保護部用の取り付け具としてコネクタ１３６ａ、１３６ｂ上に一体的に形成されている。コネクタ１３６ａ、１３６ｂは棒状突出部７４ａまたは７４ｂの上に嵌め込まれ、これによって顔面保護部支持点８４ａ、８４ｂが側頭部領域のヘルメットシェル３６の内側上に載せられるようになる。
【００５２】
以下に、既に上記の説明において簡単に触れた緊締ユニット４８について、図７〜図９を参照して詳細に説明する。緊締ユニット４８は、耳保護部３４とともに、耳保護部３４と同様にヘルメットシェル３６の外周内に常に位置する他のヘルメットアクセサリであって、ヘルメット３０には緊締ユニット４８の領域においても突出する部分は存在しないことになる。図７は、ネックバンド４６の両端がネック領域において緊締ユニット４８によって着脱可能に結合されている、保護ヘルメット３０の内装構造体サブアセンブリ４０を示す側面図であって、図７においては緊締ユニット４８が緊締状態であるところが示されている。図８は、後部方向にみた保護ヘルメット３０の断面図である。図９は、前方向にみた保護ヘルメット３０の一部切欠き図を示す。
【００５３】
緊締ユニット４８はマウント部１６８を備え、ネックバンド４６の遊端が両側においてこのマウント部内に挿入される。マウント部１６８は傾斜留め部を有し、この留め部はネックバンド４６の傾斜オリフィスに係合され得る。このようにして、ネックバンド４６の長さは、頭のサイズに応じておおよそ調節することができる。この調節は、緊締ユニットが機能していないとき保護ヘルメット３０を便利に装着できるよう適宜行われる。ヘルメットをかぶった後のネックバンドの緊締は、以下に説明するように緊締ユニット４８の助けにより行われる。
【００５４】
緊締ユニット１４８の機能は、ロック用フラップ１７４によって発揮される。このフラップは、図７によれば、関節１７３によってマウント部１６８に連結される。マウント部１６８と支持シェル１７２との間に、移送レバー１６９が配置されるが、移送レバーの支持フォーク部１７０の下側端のみが図７に示されており、これは支持シェル１７２の後側に取り付けられる。マウント部１６８の上側端は、関節により移送レバー１６９の上側端に結合される。支持シェル１７２は、支持フォーク部１７０によって移送レバー１６９の下側端に関節で結合されるが、これらの２箇所の関節結合は、図７には詳細には示されていない。ロック用フラップ１７４は、移送レバー１６９の後側に支持されたカムを内側に備えているが、これは図面ではみることができない。ロック用フラップ１７４が、カムの作用により図７に示す閉鎖位置に動かされると、マウント部１６８の下側端は後ろ側に回動される。この回動により、ネックバンド４６が緊締される。このプロセスでは、緊締ユニット４８が、ネック領域の後頭部上の支持シェル１７２によって支持されている。
【００５５】
ロック用フラップ１７４が反時計方向に回動して開かれると、緊締ユニット４８も開かれる。このようにして、マウント部１６８の下側エッジを支持シェル１７２の方向に動かして、ネックバンド４６が開放することができ、保護ヘルメット３０を装着または取り外すことが可能になる。保護ヘルメット３０が装着されている場合、ヘルメット３０を頭部に固定するためには、ロック用フラップ１７４を下向きに回動しさえすればよい。この操作は、片手でグローブを付けた状態でも便利に行うことができる。支持シェル１７２は、前側においては当て物材料の部材１８０によって覆われている。
【符号の説明】
【００５６】
３０      保護ヘルメット
３４      耳保護部
３５ａ    耳保護部カプセル
３５ｂ    耳保護部カプセル
３６      ヘルメットシェル
３７ａ    支持ブラケット
３７ｂ    支持ブラケット
４０      内装構造体サブアセンブリ
４２      支持ケージ
４４      ヘッドバンド
４６      ネックバンド
４７ａ    支持アーム
４７ｂ    支持アーム
４８      緊締ユニット
５０      通気スライド部
５１      開口
５２      通気オリフィス
５４      支持アーム
５５      支持アーム
５６      支持アーム
５６ａ    突出部
５６ｂ    突出部
６０      間隙
６２      補強リブ
６４      補強リブ
６６      ガイドスロット
６８      保持用留め部
７０      保持用留め部
７２      ガイドスロット
７４ａ    棒状突出部
７４ｂ    棒状突出部
７６      凹部
７８      スロット
８０ａ    耳保護部支持点
８０ｂ    耳保護部支持点
８４ａ    顔面保護部支持点
８４ｂ    顔面保護部支持点
８８ａ    顎ストラップ取り付け具
８８ｂ    顎ストラップ取り付け具
８９ａ    中間部材
８９ｂ    中間部材
９０ａ    枢動ピン
９０ｂ    枢動ピン
１３６ａ  コネクタ
１３６ｂ  コネクタ
１４２    支持帯状部
１４４    支持帯状部
１４６ａ  連結点
１４６ｂ  連結点
１４６ｃ  連結点
１４６ｄ  連結点
１４８    支持帯状部
１４９    当て物材料
１５０    連結帯状部
１５２    リブ
１５４    リブ
１５６    通孔
１５８    通孔
１６８    支持シェルのマウント部
１６９    移送レバー
１７０    支持フォーク部
１７２    支持シェル
１７４    ロック用フラップ
１７６    オリフィス
１８０    当て物材料の部材
【図１】
0006050748.tif 000002
【図２】
0006050748.tif 000003
【図３】
0006050748.tif 000004
【図４】
0006050748.tif 000005
【図５】
0006050748.tif 000006
【図６】
0006050748.tif 000007
【図７】
0006050748.tif 000008
【図８】
0006050748.tif 000009
【図９】
0006050748.tif 000010